(57)【特許請求の範囲】
【請求項１】
クロック化した色副搬送波をカウントする第１カウンタと、
水平同期信号に同期して前記色副搬送波のカウントを開始し、１／２水平期間より長く１水平期間より短かい時点で自己リセットする第２カウンタと、
前記第２カウンタの出力と前記水平同期信号に基づいて前記第１カウンタの動作期間を制御する手段と、
前記第１カウンタのカウント出力に基づいてカラーバーストゲートパルスを出力する手段と、
から成るカラーバーストゲートパルス形成回路。
【請求項２】
クロック化した色副搬送波をカウントする第１カウンタと、
水平同期信号に同期して前記色副搬送波のカウントを開始し、１／２水平期間より長く１水平期間より短かい時点で自己リセットする第２カウンタと、
前記第２カウンタの出力と前記水平同期信号に基づいて前記第１カウンタの動作期間を制御する手段と、
前記第１カウンタのカウント出力に基づいてカラーバーストゲートパルスを出力する手段と、
前記第２カウンタのカウント動作開始に同期してトリガーされ、そのトリガーがかかる毎に反転したパルスを出力するフリップフロップと、
前記フリップフロップの出力によって前記色副搬送波を水平期間ごとに反転切換えするＰＡＬスイッチと、
を備えたカラーバースト形成回路。
【発明の詳細な説明】
【０００１】
【発明の属する技術分野】
本発明はカラーテレビ信号エンコーダに用いられるカラーバーストゲートパルス形成回路及びカラーバースト形成回路に関するものである。
【０００２】
【従来の技術】
カラーテレビ受像機にカラーテレビ信号を送り込むテレビ周辺機器が多くなってきた。その代表的なものとしてパーソナルコンピュータが挙げられる。この場合、パーソナルコンピュータはそれ自身で作成した画像のＲ，Ｇ，Ｂ信号を水平・垂直同期信号とともにカラーテレビジョン信号に変換するが、同じく自身で用意した色副搬送波からカラーバーストを生成する。
【０００３】
このカラーバーストの生成について、従来広く行なわれている方法は図４に示される。まず、図４（ａ）の水平同期信号から積分器を使って（ｂ）に示す如く鋸歯状波電圧を形成し、その鋸歯状波電圧を基準電圧Ｖ1，Ｖ2で特定してパルス〔図４（ｃ）〕を発生させ、このパルスをカラーバーストゲートパルスとして色副搬送波を図４（ｄ）に示す如くカラーテレビジョン信号に付加するものである。
【０００４】
【発明が解決しようとする課題】
しかしながら、この従来例ではカラーバーストゲートパルスのタイミングは積分器のＣＲ時定数によって支配されるため、そのＣやＲの値が製造工程や温度等の影響で変化すると、カラーバーストの位置が変ってしまうという不具合が生じていた。
【０００５】
本発明はカラーバーストを所望位置に正しく挿入できるカラーバーストゲートパルス形成回路を提供することを目的とする。
【０００６】
また、本発明はそのカラーバーストゲートパルス形成回路をもち、更にカラーバーストを水平期間ごとに反転させることのできるカラーバースト形成回路を提供する。
【０００７】
【課題を解決するための手段】
上記の目的を達成するため本発明のカラーバーストゲートパルス形成回路は、クロック化した色副搬送波をカウントする第１カウンタと；水平同期信号に同期して前記色副搬送波のカウントを開始し、１／２水平期間より長く１水平期間より短かい時点で自己リセットする第２カウンタと；前記第２カウンタの出力と前記水平同期信号に基づいて前記第１カウンタの動作期間を制御する手段と；前記第１カウンタのカウント出力に基づいてカラーバーストゲートパルスを出力する手段とから成っている。
【０００８】
このような構成によると、カラーバーストゲートパルスはロジック的（ディジタル的）な処理によって形成されるので、ＣやＲのバラツキや温度等によって影響されるといった問題がなく、常に正確なタイミングのものが得られる。
【０００９】
また、本発明のカラーバースト形成回路は、クロック化した色副搬送波をカウントする第１カウンタと；水平同期信号に同期して前記色副搬送波のカウントを開始し、１／２水平期間より長く１水平期間より短かい時点で自己リセットする第２カウンタと；前記第２カウンタの出力と前記水平同期信号に基づいて前記第１カウンタの動作期間を制御する手段と；前記第１カウンタのカウント出力に基づいてカラーバーストゲートパルスを出力する手段と；前記第２カウンタのカウント動作開始に同期してトリガーされ、そのトリガーがかかる毎に反転したパルスを出力するフリップフロップと；前記フリップフロップの出力によって前記色副搬送波を水平期間ごとに反転切換えするＰＡＬスイッチとを備えた構成となっている。
【００１０】
【発明の実施の形態】
以下、本発明の実施形態を図面に従って説明する。図１において、１は色副搬送波ＣＷ（この場合ＣＷは正弦波でなくクロック）が与えられる入力端子、２は同期パルスが与えられる入力端子である。３はバーストゲートパルスの形成のための第１カウンタであり、４はそのカウンタの出力をデコードして第１の所定カウント数から第２の所定カウント数に対応する期間のパルス（バーストゲートパルス）を出力するデコード回路である。５は入力端子１からの色副搬送波ＣＷをバーストゲートパルスＢＰによって抜き取るゲート回路であり、その抜き取られた出力がカラーバーストとなる。
【００１１】
６は入力端子２から与えられる水平同期パルスと第２カウンタ７の出力との論理をとって、その論理出力の期間だけ、第１カウンタ３を動作させる論理回路である。第２カウンタ７は図２（イ）に示す水平同期パルスＨ１、Ｈ２、Ｈ３、Ｈ４、・・・の立ち下り（Ｈ１でいえばｔ0の時点）に同期して色副搬送波ＣＷをカウントし、ｔ4で自己リセットをかけるように動作する。この結果、第２カウンタ７の出力は図２（ロ）の如くなる。この出力は後述する図３に示す如く、フリップフロップ８に与えられて、例えばＰＡＬ用のカラーバーストの位相反転用信号の形成に利用される。
【００１２】
前述第２カウンタ７の出力は論理回路６へも与えられ、ここで入力端子２からの水平同期信号と論理積される。この論理回路６の出力は図２（ハ）に示される。第１カウンタ３はこの論理回路６の出力の立上がり（ｔ1に対応）に同期してカウントを開始する。本実施形態では、ｔ4までカウントを続け、ｔ4でリセットされるが、その間に、デコード回路４はｔ2〜ｔ3の時間幅に対応するバーストゲートパルスＢＰを発生する。尚、第１カウンタ３をｔ3〜ｔ4の間で自己リセットさせるようにしてもよい。
【００１３】
図２に示す最初の水平同期パルスＨ１に関して説明したが、次の水平同期パルスＨ２、Ｈ３、Ｈ４、・・・についても同様な動作が行なわれる。ただし、Ｈ３についてはハーフ水平同期パルスであり、このＨ３については、上述の動作が行なわれない。即ち、図１の回路においてハーフ水平同期パルスのキラーが行なわれるからである。このキラーは第２カウンタ７の動作期間を１／２水平期間より長く、１水平期間より短かく選んでいる〔図２（ハ）参照〕ことに基づいている。
【００１４】
さて、デコード回路４で形成されたバーストゲートパルスＢＰはゲート回路５でＣＷを抜き取るので、ゲート回路５からは図２（ホ）に示す如くカラーバーストが所望の位置に間欠的に得られる。
【００１５】
次に、図３に示す第２の実施形態はＰＡＬカラーテレビジョン信号用のカラーバーストを形成するように構成されている。図３において、図１と同一部分には同一の符号を付して重複した説明を省略する。
【００１６】
図３において、９はＣＷを９０°移相する移相器であり、その出力がゲート回路５Ｒへ与えられる。８は第２カウンタ７の出力〔図２（ロ）〕の立下りに同期して反転する出力〔図２（ヘ）〕を発生するフリップフロップであり、ＰＡＬスイッチ１２を水平期間ごとに切り換える。１０はゲート回路５Ｒから出力されたカラーバーストをそのままＰＡＬスイッチ１２へ与える線路であり、１１は１８０°反転して与える反転器である。
【００１７】
このＰＡＬスイッチ１２で水平期間ごとに反転されたカラーバーストＳ２はＲ−Ｙ変調器１４を通して加算器１５で、別途入力端子からゲート回路５Ｂ，Ｂ−Ｙ変調器１３から与えられたカラーバーストＳ１と合成されＳ３となる。
【００１８】
尚、図３において、Ｂ−Ｙ変調器１３、Ｒ−Ｙ変調器１４には色信号Ｒ−Ｙ，Ｂ−Ｙが与えられるが、図示省略している。また、ゲート５Ｂ，５Ｒ回路は削除して、Ｂ−Ｙ変調器１３とＲ−Ｙ変調器１４にゲート機能をもたせ、それにデコード回路４からのゲートパルスを印加してもよい。また、入力端子１に入力される色副搬送波ＣＷをＳ２又はＳ３の位相とした場合は、９０°移相器９をゲート回路５Ｒ側でなくゲート回路５Ｂの存する経路に挿入するものとする。
【００１９】
上記の実施形態において、第２カウンタ７はｔ0〜ｔ4までカウントするだけでよいので、カウント数が比較的少なくて済む。従って、カウンタの段数も少なくて済む。第１カウンタ３は、第２カウンタ７より更にカウント数を少なくできるので、第１カウンタの段数も一層少なくできる。
【００２０】
【発明の効果】
以上説明した通り本発明によれば、カラーバーストゲートパルス及びカラーバーストをロジック的に作り出すため、工程上のバラツキによる影響を受けず、また温度変化に対する影響も受けないので、正確な位置にカラーバーストを付加できるという効果がある。
【００２１】
また、請求項２によれば、そのカラーバーストゲートパルス形成回路を利用して、簡単にＰＡＬスイッチ駆動信号が得られるという効果がある。
【図面の簡単な説明】
【図１】  本発明のカラーバーストゲートパルス形成回路の実施形態を示す回路図。
【図２】  その説明波形図。
【図３】  本発明のカラーバースト形成回路の実施形態を示す回路図。
【図４】  従来例の説明図。
【符号の説明】
１  色副搬送波の入力端子
２  同期信号の入力端子
３  第１カウンタ
４  デコード回路
５，５Ｒ，５Ｂ  ゲート回路
６  論理回路
７  第２カウンタ
８  フリップフロップ
１２  ＰＡＬスイッチ
【図１】
0003654696.tif 000002
【図２】
0003654696.tif 000003
【図３】
0003654696.tif 000004
【図４】
0003654696.tif 000005